(57)【要約】【課題】ポーションカップに収容される内容液を霧状又は気体状にして周囲に容易に放出させることができる放出装置の提供にある。【解決手段】ポーションカップ１１の内容液１０を霧状又は気体状に放出する放出装置２１であって、中空形状の放出容器本体２２と、放出容器本体２２の内部においてポーションカップ１１を保持するカップ保持部２５と、カップ保持部２５により保持されたポーションカップ１１のカップ本体１２に収容される内容液１０を霧状に変化させる超音波振動子４６と、超音波振動子４６により液状から霧状に変化した内容液を放出容器本体２２から外部に放出させる頂部放出開口部４３と、を有する構成による。【選択図】図４
2017123900.tif 000002
【特許請求の範囲】
【請求項１】
含液カップ製品の内容液を霧状又は気体状に放出する含液カップ製品の放出装置であって、
中空形状の放出容器本体と、
前記含液カップ製品のカップ本体に収容される前記内容液を霧状又は気体状に変化させる状態変化手段と、
該状態変化手段により液状から霧状又は気体状に変化した前記内容液を前記放出容器本体から外部に放出させる放出部と、を有する含液カップ製品の放出装置。
【請求項２】
更に、前記放出容器本体の内部において前記含液カップ製品を保持するカップ保持部を有する請求項１に記載の含液カップ製品の放出装置。
【請求項３】
前記放出部は、前記放出容器本体に設けた開口部である請求項１又は２に記載の含液カップ製品の放出装置。
【請求項４】
前記状態変化手段は、前記内容液を霧状にする霧状化手段又は前記内容液を気体状にする気体状化手段である請求項１乃至３のいずれかに記載の含液カップ製品の放出装置。
【請求項５】
前記霧状化手段は、前記内容液を振動により霧状にする超音波振動子を有する霧状化装置である請求項４に記載の含液カップ製品の放出装置。
【請求項６】
前記気体状化手段は、前記内容液を加熱により気体状にする加熱装置である請求項４に記載の含液カップ製品の放出装置。
【請求項７】
前記カップ保持部は、前記含液カップ製品を嵌挿する嵌挿保持部と、
該嵌挿保持部に嵌挿された前記含液カップ製品を前記放出容器本体内の内部所定位置と、前記放出容器本体外の外部所定位置とに配置すべく、前記カップ保持部を移動させる移動手段とを有する請求項２に記載の含液カップ製品の放出装置。
【請求項８】
更に、前記含液カップ製品の蓋シートを切開する切開装置を有し、該切開装置は、前記放出容器内で前記蓋シートを切開する切開刃と、前記カップ保持部の前記移動に連動して前記蓋シートを切開する所定角度位置に前記切開刃を回動させる連動機構部と、を有する請求項１乃至７のいずれかに記載の含液カップ製品の放出装置。
【請求項９】
更に、前記含液カップ製品の蓋シートに孔部を形成する孔部形成手段を有する請求項１乃至７のいずれかに記載の含液カップ製品の放出装置。
【請求項１０】
前記孔部形成手段は、１以上の開孔刃を有する開孔刃部と、該開孔刃部を前記蓋シートに対して昇降させる昇降部と、を有する請求項９に記載の含液カップ製品の放出装置。
【請求項１１】
前記内容液は、芳香成分、健康・薬効成分、除菌成分の少なくとも何れかを含む請求項１乃至１０のいずれかに記載の含液カップ製品の放出装置。
【請求項１２】
請求項１ないし１１のいずれかに記載の放出装置に用いる含液カップ製品。
【発明の詳細な説明】
【技術分野】
【０００１】
本発明は、所定量の内容液を収容する含液カップ製品の放出装置、及びその装置に用いる含液カップ製品に関する。
【背景技術】
【０００２】
近年、芳香成分が心身の健康促進、ストレス解消等に有効であるとして、アロマ（芳香）とセラピー（療法）を合せたアロマセラピー（芳香療法）が普及している。アロマセラピーでは、芳香成分を持つ植物の花、葉、樹脂、果実、果皮等の様々な部分から抽出した天然の揮発性の芳香物質である精油（エッセンシャルオイル）又は精油と近似する人工香料（これらを「アロマオイル」と総称する）を直接浴槽等に滴下して発散させ、又はアロマオイルをキャリアオイル（オリーブオイル等の植物性オイル）又は水等で希釈した溶液を噴霧機器、加熱機器等により霧状又は気体状にして室内、浴室等に発散させ、心身の健康促進、ストレス解消等を図っている。上記したアロマセラピーによる効果を発揮すべく、アロマオイルを希釈した溶液を室内、浴室内等に霧状又は気体状にして発散させる各種装置機器が提案されている（例えば、特許文献１乃至３参照）。
【０００３】
上記特許文献１に記載の加熱蒸散器は、部屋の消臭や芳香等に適した薬液を吸い上げる吸液芯を備えた液体入り容器を、蒸散器本体の下部に設け、蒸散器本体内のヒータ等により吸液芯を加熱して薬液を気化、蒸散させる装置である。また、特許文献２に記載の浴槽用芳香装置は、芳香成分（アロマオイル等）を含んだ溶液を気泡化して浴槽内の湯に供給する装置である。さらに、特許文献３に記載の芳香剤等を収容した壁掛容器は、芳香剤等の薬液を収容した中空容器のヒンジ部を開くことにより、吸い上げ部材により薬液を容器外に吸い上げて蒸散させる装置である。
【先行技術文献】
【特許文献】
【０００４】
【特許文献１】特開２０１１‐４５５４５号公報
【特許文献２】特開平１１−２９０４１５号公報
【特許文献３】特開２００２−２０５７８５号公報
【発明の概要】
【発明が解決しようとする課題】
【０００５】
上記特許文献１乃至３に記載の各装置によれば、芳香剤等を含む薬液を蒸散等により室内、浴室内等に広く拡散させることができるが、１回の使用では使い切れずに、壜などの容器に残されたアロマオイル等の芳香成分、健康・薬効成分等が酸化により品質劣化を招くことから常時高品質な芳香成分、健康・薬効成分等を提供することが困難となっている。上記特許文献１乃至３に記載の各装置を使用せずに壜等の容器から直接浴槽等に滴下して使用する場合も、容器に残された芳香成分、健康・薬効成分等は上記同様品質劣化を招くことから常時高品質のものを提供することが難しい。さらに、壜等の容器に収容されたアロマオイル等の芳香成分、健康・薬効成分等を含むものは比較的高価であり、使用者の用途、好みに応じた多種の芳香成分等を揃え、利用することは費用的に容易でない点がある。
【０００６】
本発明は、放出容器本体内で保持された含液カップ製品に収容される芳香成分、健康・薬効成分等を含む内容液を、霧状又は気体状にして周囲に容易に放出させることができる含液カップ製品の放出装置の提供を目的とする。
【課題を解決するための手段】
【０００７】
上記課題を解決するために、本発明に係る含液カップ製品の内容液を霧状又は気体状に放出する含液カップ製品の放出装置は、中空形状の放出容器本体と、前記含液カップ製品のカップ本体に収容される前記内容液を霧状又は気体状に変化させる状態変化手段と、該状態変化手段により液状から霧状又は気体状に変化した前記内容液を前記放出容器本体から外部に放出させる放出部と、を有する構成となる。
【０００８】
このような構成によれば、含液カップ製品に収容される内容液を霧状又は気体状にして周囲に容易に放出させることができる。
【０００９】
本発明に係る含液カップ製品の放出装置において、更に、前記放出容器本体の内部において前記含液カップ製品を保持するカップ保持部を有する構成とすることができる。
【００１０】
このような構成によれば、含液カップ製品を放出容器本体の内部において保持することで、状態変化手段により効率良くカップ本体に収容される前記内容液を霧状又は気体状に変化させることができる。
【００１１】
本発明に係る含液カップ製品の放出装置において、前記放出部は、前記放出容器本体に設けた開口部である構成とすることができる。
【００１２】
このような構成によれば、放出容器本体内で保持された含液カップ製品に収容される内容液を、霧状又は気体状にして開口部から周囲に放出することができる。
【００１３】
本発明に係る含液カップ製品の放出装置において、前記状態変化手段は、前記内容液を霧状にする霧状化手段又は前記内容液を気体状にする気体状化手段である構成とすることができる。
【００１４】
このような構成によれば、含有カップ製品に収容される内容液を容易に霧状又は気体状にすることができる。例えば、霧状化手段及び気体状化手段の何れも使用せずに自然蒸散による気化を図る場合には周囲の環境（温度、湿度等）により気化する液量が左右されることとなるが、霧状化手段又は気体状化手段を有することで、所定液量を容易に霧状化、気化することができ、霧状化量、気化量を好みの程度に制御することができる。
【００１５】
本発明に係る含液カップ製品の放出装置において、前記霧状化手段は、前記内容液を振動により霧状にする超音波振動子を有する霧状化装置である構成とすることができる。
【００１６】
このような構成によれば、液体含有カップ内の内容液を容易に霧状にすることができる。
【００１７】
本発明に係る含液カップ製品の放出装置において、前記気体状化手段は、前記内容液を加熱により気体状にする加熱装置である構成とすることができる。
【００１８】
このような構成によれば、自然気化の場合と比較して、含液カップ製品の内容液を容易に気化することができる。加熱装置は、例えば電気ヒータ等を備えたものが相当する。
【００１９】
本発明に係る含液カップ製品の放出装置において、前記カップ保持部は、前記含液カップ製品を嵌挿する嵌挿保持部と、該嵌挿保持部に嵌挿された前記含液カップ製品を前記放出容器本体内の前記内部所定位置と、前記放出容器本体外の外部所定位置とに配置すべく、前記カップ保持部を移動させる移動手段とを有する構成とすることができる。
【００２０】
このような構成によれば、含液カップ製品を前記放出容器本体内の内部と外部との所定位置間を移動可能にするので、放出容器本体の外部において含液カップ製品をカップ保持部に新規取付け、又は交換を容易に行うことができる。
【００２１】
本発明に係る含液カップ製品の放出装置において、更に、前記含液カップ製品の蓋シートを切開する切開装置を有し、該切開装置は、前記放出容器内で前記蓋シートを切開する切開刃と、前記カップ保持部の前記移動に連動して前記蓋シートを切開する所定角度位置に前記切開刃を回動させる連動機構部と、を有する構成とすることができる。
【００２２】
このような構成によれば、蓋シートを直接手で剥離する必要がなくなり、手先の不自由な人、老人等でも容易に放出装置を使用することができる。切開装置の切開刃は放出容器内で蓋シートを切開する構造となっているので、安全に蓋シートを切開して、内容液を霧状又は気体状にして放出することができる。切開刃を備えた連動機構部は、カップ保持部の移動に連動して切開刃を回動させる簡便な構造であるから、コスト増を抑え、使い勝手の良い放出装置を提供することができる。
【００２３】
本発明に係る含液カップ製品の放出装置において、更に、前記含液カップ製品の蓋シートに孔部を形成する孔部形成手段を有する構成とすることができる。
【００２４】
このような構成によれば、切開装置の代わりに、蓋シートに孔部を形成する孔部形成手段を有することで、上記同様に、手で蓋シートを剥離する必要がなくなるので、手先の不自由な人にとって使い勝手の良いものとなる。また、蓋部の剥離の手間を省略することで、剥離の際に液体をこぼすことも防止することができる。
【００２５】
本発明に係る含液カップ製品の放出装置において、前記孔部形成手段は、１以上の開孔刃を有する開孔刃部と、該開孔刃部を前記蓋シートに対して昇降させる昇降部と、を有する構成とすることができる。
【００２６】
このような構成によれば、開孔刃部を蓋シートに対して昇降させる昇降部を、押圧により降下させて孔部を容易に形成することができる。
【００２７】
本発明に係る含液カップ製品の放出装置において、前記内容液は、芳香成分、健康・薬効成分、除菌成分の少なくとも何れかを含む構成とすることができる。
【００２８】
このような構成によれば、放出装置により芳香成分、健康・薬効成分、除菌成分の何れかを含む内容液を霧状又は気体状にして放出することができる。
【００２９】
本発明に係る含液カップ製品は、本発明に係る含液カップ製品の放出装置に用いる構成とすることができる。
【００３０】
このような構成によれば、上記放出装置に適した含液カップ製品を提供することができる。
【発明の効果】
【００３１】
本発明に係る含液カップ製品の放出装置によれば、放出容器本体と、含液カップ製品を保持するカップ保持部と、保持された含液カップ製品に収容される内容液を霧状又は気体状に変化させる状態変化手段と、該状態変化手段により内容液を霧状又は気体状として放出する放出部とを有するので、上記した内容液を霧状又は気体状にして周囲に放出させることができる。
【図面の簡単な説明】
【００３２】
【図１Ａ】図１Ａは、本発明の含液カップ製品の放出装置に適用されるポーションカップ（含液カップ製品）の一例を示す斜視図である。
【図１Ｂ】図１Ｂは、図１Ａに示すポーションカップ（含液カップ製品）の断面図である。
【図２Ａ】図２Ａは、図１Ｂに示すＡ部の部分拡大図である。
【図２Ｂ】図２Ｂは、図１Ｂに示すＢ部の部分拡大図である。
【図３】図３は、本発明の第１実施形態に係る含液カップ製品の放出装置の斜視図である。
【図４】図４は、図３に示す含液カップ製品の放出装置の断面図である。
【図５】図５は、図４に示す含液カップ製品の放出装置のカップ保持部を放出容器本体の外側に引き出した状態を示す概略斜視図である。
【図６Ａ】図６Ａは、図４に示す含液カップ製品の放出装置のカップ保持部と切開装置の概略分解斜視図である。
【図６Ｂ】図６Ｂは、図６Ａに示す溝部の長手方向の断面図である。
【図７Ａ】図７Ａは、含液カップ製品の放出装置のカップ保持部に保持されるポーションカップ（含液カップ製品）の蓋シートを切開装置により切開する動作の一つを示す断面図（切開前）である。
【図７Ｂ】図７Ｂは、含液カップ製品の放出装置のカップ保持部に保持されるポーションカップ（含液カップ製品）の蓋シートを切開装置により切開する動作の一つを示す断面図（切開開始）である。
【図７Ｃ】図７Ｃは、含液カップ製品の放出装置のカップ保持部に保持されるポーションカップ（含液カップ製品）の蓋シートを切開装置により切開する動作の一つを示す断面図（切開済）である。
【図８】図８は、本発明の第２実施形態に係る含液カップ製品の放出装置の斜視図である。
【図９】図９は、図８に示す含液カップ製品の放出装置の断面図である。
【図１０】図１０は、図８及び図９に示す含液カップ製品の放出装置の孔部形成部により開孔された含液カップ製品の斜視図である。
【発明を実施するための形態】
【００３３】
以下、本発明の実施の形態について図面を用いて説明する。
【００３４】
図１Ａ乃至図３Ｂに示すように、芳香成分、健康・薬効成分、除菌成分の少なくとも何れかを含む内容液１０（液状の内容物）を収容する本発明の含液カップ製品の放出装置に適用されるポーションカップ１１（含液カップ製品）は、方形状の底部１２ａ及びその周囲から立設する壁部１２ｂ、上部に位置する開口部１２ｃの周囲に形成されるフランジ部１２ｄとから成る略直方体形状のカップ本体１２と、フランジ部１２ｄに接着されてカップ本体１２の内部を封止する蓋シート１５とを有する。ポーションカップ本体１２の底部１２ａは、後述するように、超音波振動子４６と接触させて内容液１０を霧状化させるので（図４参照）、超音波振動子４６の平坦な接触位置に合わせてフラットな形状、又は中心部を頂点とする緩やかな外側凸形状とすることが望ましい。特に外側凸形状とすることで、生産上のバラツキにより内側凸形状となるリスクを回避することができる。
【００３５】
図１ＢのＡ部を拡大した図２Ａに示すように、カップ本体１２の底部１２ａは、内容液１０と直接触れる内側に本体ヒートシール層１７ａ、外側に本体外層１７ｂ、本体ヒートシール層１７ａと本体外層１７ｂとの間に酸素等の気体(ガス）の透過を抑える本体バリア層１７ｃが形成される本体三層構造１７となっている。カップ本体１２の壁部１２ｂ及びフランジ部１２ｄについても、底部１２ａと同様の本体三層構造１７であり、カップ本体１２全体が本体三層構造１７となっている。さらに、図１ＢのＢ部を拡大した図２Ｂに示すように、蓋シート１５は、上記した底部１２ａ、壁部１２ｂ及びフランジ部１２ｄと同様、内側に蓋ヒートシール層１８ａ、外側に蓋外層１８ｂ、蓋ヒートシール層１８ａと蓋外層１８ｂとの間に酸素等の気体(ガス）の透過を抑える蓋バリア層１８ｃが形成される蓋三層構造１８となっている。カップ本体１２及び蓋シート１５とも本体バリア層１７ｃ、蓋バリア層１８ｃを中間層に設けることで、ポーションカップ１１に収容される内容液１０に含まれる芳香成分等の酸化等による劣化を防止することができる。
【００３６】
ポーションカップ１１に収容される内容液１０は、芳香成分、健康・薬効成分、除菌成分の少なくとも何れかを含むもので、用途に応じて選択される。例えば、アロマセラピーで使用する場合には、芳香成分として精油（エッセンシャルオイル）又は精油と近似する人工香料から成るアロマオイルをキャリアオイル（オリーブオイル等）又は水等で希釈したものが内容液１０として使用される。精油は、香りを持つ植物（芳香植物）の花、葉、木部、樹脂、果皮、果実などから、水蒸気蒸留法、圧搾法等により抽出した天然の芳香物質（液体）である。例えば、ラベンダー、ローズ、ジャスミン、オレンジ、ユーカリ、レモングラス、ペパーミント、レモン、グレープフルーツ等の花、果実等から精油を抽出することができる。これらの精油を揮発させて室内、浴室内で嗅ぐと、例えば、精神的にリラックスし、又は体の内分泌を促進させたりして、身体に良い影響をもたらすとされている。なお、上記したように、天然素材の精油と近似する人工香料についてもアロマオイルして使用する場合がある。
【００３７】
従来のアロマセラピーでは、壜等の容器に収容されたアロマオイル（精油又は人工香料）を数滴浴槽に直接滴下、又はアロマオイルを水等で希釈させた希釈液を放出機器等により霧状又は気体状にして放出させていた。このようなアロマオイルの使用方法では、開封された壜等の容器に残されたアロマオイルは酸化等により品質劣化を生じてしまう。このような品質劣化したアロマオイルを使用すると不快感を招くことになり、アロマセラピーによる本来の目的である心の寛ぎ、安定化の達成に支障を招くこととなっていた。特に、精油（エッセンシャルオイル）は比較的高価であることから、品質劣化による経済的損失も無視できないものとなっていた。本発明に係る含液カップ製品の放出装置に適用されるポーションカップ１１は、所定量（一回の使用量）の内容液１０を収容したカップ本体１２に蓋シート１５をヒートシールあるいは接着して密封したもので、使用時に蓋シート１５を開封、切開又は開孔して使用する、所謂使い切り（使い捨て）タイプのものが好ましく、このような形態とすることにより使用時には品質劣化を抑えた新鮮なアロマオイルを提供することができる。さらに、１回の使用（１回の入浴等）に適した量を収容することにより、安価な費用で提供できるので、使用者は好みに応じて複数の種類のものの購入が容易となる。
【００３８】
尚、ポーションカップ１１には、上記した液状の内容物としてのアロマオイルの内容液１０に換えて、例えば喘息等の鎮静作用のある漢方薬、発汗成分等の健康・薬効成分を含んだ所定の溶液を内容液１０として収容することができる。さらに、室内、浴室内の防カビ又は除菌の作用を有する除菌成分を含んだ所定の溶液を内容液１０として収容することができる。したがって、内容液１０は、芳香成分、健康・薬効成分、除菌成分の少なくとも何れかを含むものであり、例えば、入浴時のアロマセラピーとして芳香成分と健康・薬効成分とを含む内容液１０を収容したポーションカップ１１を利用することができる。また、入浴後の無人となった浴室内の除菌と消臭を兼ねて、芳香成分と除菌成分を含む内容液１０を収容するポーションカップ１１を用いることができる。
【００３９】
次に、上記した内容液１０を収容するポーションカップ１１が適用される本発明に係る含液カップ製品の放出装置について、図３乃至図６Ｂを参照して説明する。本実施形態における含液カップ製品の放出装置２１は、中空形状の容器である放出容器本体２２と、上述した芳香成分等を含む内容液１０を収容するポーションカップ１１を保持するカップ保持部２５と、カップ保持部２５で保持されるポーションカップ１１の蓋シート１５を切開する切開装置２７と、蓋シート１５が切開されたポーションカップ１１に収容される内容液１０を霧状化させる霧状化装置４５（超音波振動子４６及び電源回路ユニット４７）と、霧状化された内容液１０を放出容器本体２２の外部へ放出するための円筒形状の誘導経路部４４及び頂部放出開口部４３（放出部）と、ポーションカップ１１の押さえ板２４と、を有する。
【００４０】
放出容器本体２２は、平面形状である底面部２２ａ及び正面部２２ｂと、その他の部分で球面形状である球面部２２ｃとから構成される中空の容器である。底面部２２ａ及び正面部２２ｂは円形状の一部（弓形部分）を欠いた形状で、正面部２２ｂには、カップ保持部２５の一部である正面引出板２５ａと、さらに正面引出板２５ａの下部には、正面引出板２５ａを放出容器本体２２の内外に引き出しするために指を挿入する正面開口部４２が設けられている。また、放出容器本体２２の球面部２２ｃの頂部には、超音波振動子４６により霧状化されたポーションカップ１１内の内容液１０を外部に放出するための頂部放出開口部４３（放出部）が形成されている。頂部放出開口部４３は円形の開口部で、その直径は２ｃｍ乃至４ｃｍの範囲で形成されるが、これに限定するものではない。さらに、放出容器本体２２内部には、霧状化されたポーションカップ１１内の内容液１０を頂部放出開口部４３へと導くために、頂部放出開口部４３の直下の位置に、両端開口部を上下（頂部放出開口部４３側及びポーションカップ１１側）に向けた円筒形状の誘導経路部４４を設けることができる。誘導経路部４４は、両端開口部から中間部に向けて拡径した外側への膨らみを有する形状で、頂部放出開口部４３から所定間隙を設けて板状取付部材４９を介して垂下するように設置されている。誘導経路部４４は、霧状化した内容液１０を放出するための誘導経路としての役割の他に、内容液１０を振動により霧状化させる際、飛散した内容液１０をポーションカップ１１内に戻す役割も果たすものである。誘導経路部４４を設ける場合には、頂部放出開口部４３及び誘導経路部４４により放出部を構成する。
【００４１】
図４乃至図６Ｂに示すように、カップ保持部２５は、長手方向に伸長した直方体形状で、長手方向の一方の端２５ｅ（放出容器本体２２の内部側）に近い位置にポーションカップ１１を嵌め込むための嵌挿保持部２５ｂが形成され、他方の端（放出容器本体２２の外部側）には上記した正面引出板２５ａが設けられている。嵌挿保持部２５ｂは、開口部である天部開口部と、天部より小さい開口部である底部開口部と、天部開口部から底部開口部に向けて傾斜した壁部とから成る構造である。嵌挿保持部２５ｂに嵌挿されたポーションカップ１１は、その壁部１２ｂが嵌挿保持部２５ｂの壁部に係合により嵌め込まれて保持され、底部１２ａを嵌挿保持部２５ｂの底部開口部から長さ数ｍｍ程度を下側に突き出した状態となる。
【００４２】
カップ保持部２５は、その底部２５ｃの短手方向の両端付近に長手方向に沿って、放出容器本体２２に架設された一対のレール部材２８ａ、２８ｂ上を摺動可能に設けられている。後述するように、正面引出板２５ａを出し入れすることで、カップ保持部２５の嵌挿保持部２５ｂに嵌挿されたポーションカップ１１を放出容器本体２２内の内部所定位置（図４に示すポーションカップ１１の位置）と、放出容器本体２２外の外部所定位置（図４に鎖線で示すポーションカップ１１の位置）とにカップ保持部２５がレール部材２８ａ、２８ｂ上を底摺り移動する。なお、内部所定位置と外部所定位置との範囲のみ移動するように、上記範囲外への移動を阻止するストッパ（不図示）が設けられている。
【００４３】
カップ保持部２５に保持されたポーションカップ１１が上記した内部所定位置に配置されたときに、正面引出板２５ａと放出容器本体２２の正面部２２ｂとが面一となり、このときポーションカップ１１の底部１２ａの中央部分が放出容器本体２２内に設けられた超音波振動子４６の表面と当接する（図４参照）。上記したポーションカップ１１の押さえ板２４が、その一端を放出容器本体２２の内面に補強板２４ａと共に取り付けられており、放出容器本体２２の取付け位置から下に向けて傾斜した押さえ板２４の他端が、内部所定位置に配置されたポーションカップ１１のフランジ部１２ｄ及び蓋シート１５の一部（カップ保持部２５の一方の端２５ｅ側）を押さえるように配置されている。上記した補強板２４ａは、略４５度程度の傾斜により押さえ板２４が振動しないように支持している。ポーションカップ１１の蓋シート１５と押さえ板２４との間には若干の隙間を設けており、カップ保持部２５を放出容器本体２２内に押し込んだときに、押さえ板２４の下に上記したフランジ部１２ｄ及び蓋シート１５の一部が円滑に入ることができる。このような構成、配置とすることで、超音波によりポーションカップ１１が振動する際に、ポーションカップ１１の躍り上がりを押さえることができ、安定して内容液１０を霧状化することができる。押さえ板２４及び補強板２４ａは、弾力性のあるプラスチック樹脂板（例えば、シリコンゴム板）が好ましい。また、カップ保持部２５に保持されたポーションカップ１１が上記した外部所定位置に配置されたときに（図４鎖線部分参照）、ポーションカップ１１を嵌挿保持部２５ｂに嵌挿可能又は嵌挿保持部２５ｂから取り出し可能となる。
【００４４】
カップ保持部２５の上面部２５ｄには、長手方向の一方の端２５ｅ（放出容器本体２２内部側）から、短手方向両端付近を長手方向に沿って一定長さの溝部３９ａ、３９ｂが形成されている（図５〜図６Ｂ参照）。図６Ｂに示すように、溝部３９ａ、３９ｂは、上記した一方の端２５ｅを始点として所定の深さで形成され、溝部３９ａ、３９ｂの終点付近で上面部２５ｄに向けて登り傾斜が形成されている。後述するように、カップ保持部２５を放出容器本体２２内に押し入れるとき、切開装置２７のカム部材３３ａ、３３ｂ（図６Ｂで鎖線で示す）が溝部３９ａ、３９ｂの底と所定間隔をおいて回動しつつ移動し、その後、切欠面３４ａ、３４ｂが溝部３９ａ、３９ｂの終点付近の上面部２５ｄと係合するようにそれぞれ形成、配置されている（図６Ｂ参照）。
【００４５】
また、カップ保持部２５の上面部２５ｄの中間で短手方向両端には、長手方向に沿って所定長さの切欠部４１ａ、４１ｂが形成されている。後述するように、カップ保持部２５を放出容器本体２２内に押し入れるとき、切開装置２７の第２ローラ部材３７ａ、３７ｂが、カップ保持部２５の上面部２５ｄの両端の走行面部３５ａ、３５ｂ上を長手方向に沿って回動し、切欠部４１ａ、４１ｂ上に到達したときに、第２ローラ部材３７ａ、３７ｂは上面部２５ｄとの接触から外れて回動が止まるようにそれぞれ形成、配置されている（図６参照）。なお、溝部３９ａ、３９ｂと走行面部３５ａ、３５ｂとは、長手方向沿って平行に配置されており、溝部３９ａ、３９ｂが走行面部３５ａ、３５ｂの内側に形成されている。
【００４６】
超音波振動子４６は、放出容器本体２２の内部に設けられた直方体形状の電源回路ユニット４７の上面に設けられており、上記したように、カップ保持部２５に保持されたポーションカップ１１が内部所定位置に配置されたときに、ポーションカップ１１のカップ本体１２の底部１２ａの中央部分に当接する位置にある。超音波振動子４６は圧電セラミックスの振動子を備えており、電源回路ユニット４７から送られる高周波の交流電圧による圧電セラミックスの振動エネルギーが、超音波振動子４６と当接、または水などの液体を介して接触する底部１２ａを通じてポーションカップ１１内の内容液１０に伝わり、内容液１０の液面の一部が隆起して、微細な霧を発生させる。超音波振動子４６による振動をポーションカップに効率良く伝えるために、液状物をフィルム容器に封入して成る液状物封入体（不図示）を振動伝達材として超音波振動子４６とポーションカップ本体１２の底部１２ａとの間に挟むように設けることが好ましい。液状物を介して振動エネルギーが効率良く伝達すると共に、ポーションカップの成形上のバラツキによる振動伝達の低下を補うことができる。更に、ポーションカップ本体１２の壁部１２ｂ（側面部）にも、上記液状物封入体を設けることで、ポーションカップ本体１２と嵌挿保持部２５ｂとの間の緩衝材としての機能を果たすことができる。液状物封入体の構造としては、シリコン等の液状物を耐久性のあるフィルム容器に封入したものが相当する。一方、隆起によってカップ外に液跳ねした内容液１０は、ポーションカップ１１の上方に位置する円筒形状の誘導経路４４によって、カップ内に再び戻る構造となっている。電源回路ユニット４７は、その内部に電池等の電源（不図示）と、電源からの直流電圧を高周波の交流電圧に変える電気回路（不図示）等を有している。超音波振動子４６、電源回路ユニット４７で霧状化装置（霧状化手段、状態変化手段）を構成する。なお、放出容器本体２２には、霧状化装置の作動スイッチ（不図示）が設けられている。
【００４７】
次に、カップ保持部２５の嵌挿保持部２５ｂに嵌挿されて保持されるポーションカップ１１の蓋シート１５を切開する切開装置２７について、図４乃至図６Ｂを参照して説明する。切開装置２７は、ポーションカップ１１が嵌め込まれたカップ保持部２５を放出装置２１内に押し入れるときに、カップ保持部２５の移動動作に連動して回動する切開刃２９によりポージョンカップ１１の蓋シート１５を切開する装置である。
【００４８】
図６Ａに示すように、切開装置２７は、回動によりポーションカップ１１の蓋シート１５（図１Ａ等参照）を切開する切開刃２９と、切開刃２９を取付けた棒状部材である第１シャフト３１と、切開刃２９の両側において中心を貫通した第１シャフト３１に固着された円板形状の第１ローラ部材３２ａ、３２ｂと、切開刃２９と第１ローラ部材３２ａ、３２ｂとの間に位置しその中心を貫通した第１シャフト３１に固着されたカム部材３３ａ、３３ｂを有する。切開刃２９は、断面Ｌ字形状の部材で、Ｌ字形状の外側面の一方がその長手方向に沿って第１シャフト３１に固着され、外側面の他方の長手方向の両端には短手方向に突出した突出部２９ａ、２９ｂが形成されている。突出部２９ａ、２９ｂの間には、蓋シート１５を切開することが可能な刃先が形成されている。上記したカム部材３３ａ、３３ｂは、円板形状の部材の一部（弓形部分）を欠いた板状の部材である。切欠面３４ａ、３４ｂは板厚平面部となっている。後述するように、カップ保持部２５を放出容器本体２２内に押し入れるときに、カム部材３３ａ、３３ｂはカップ保持部２５の上面部２５ｄに形成された溝部３９ａ、３９ｂの底から所定の間隔をおいて溝部３９ａ、３９ｂ内を一方の端２５ｅから正面引出板２５ａ側に向けて移動するように配置されている。上述したように、溝部３９ａ、３９ｂの終点側は上面部２５ｄに向けて傾斜した構造で、溝部３９ａ、３９ｂ内を移動したカム部材３３ａ、３３ｂは、切欠面３４ａ、３４ｂが上面部２５ｄと当接するように配置、構成されている。なお、カップ保持部２５を放出容器本体２２内から引き出すときは、カム部材３３ａ、３３ｂは、切欠面３４ａ、３４ｂが上面部２５ｄとの当接を解消し、溝部３９ａ、３９ｂ内を一方の端２５ｅ側に向けて移動する。
【００４９】
切開装置２７は、さらに、第１ローラ部材３２ａ、３２ｂと連動する円板形状の第２ローラ部材３７ａ、３７ｂと、第２ローラ部材３７ａ、３７ｂの中心を貫通して固着する棒状の第２シャフト３８を有する。第２ローラ部材３７ａが第１ローラ部材３２ａと、第２ローラ部材３７ｂが第１ローラ部材３２ｂと、それぞれ接して連動する。第２ローラ部材３７ａ、３７ｂは、放出容器本体２２へのカップ保持部２５の押入れ、引出しによる移動に伴って、カップ保持部２５の上面部２５ｄの走行面部３５ａ、３５ｂを転動走行する配置となっている。第１シャフト３１、第２シャフト３８、第１ローラ部材３２ａ、３２ｂ、第２ローラ部材３７ａ、３７ｂ及びカム部材３３ａ、３３ｂが連動機構部に含まれる。上記した走行面部３５ａ、３５ｂを転動走行する第２ローラ部材３７ａ、３７ｂは、その後切欠部４１ａ、４１ｂに至ると、走行面部３５ａ、３５ｂとの接触が解除されて転動が停止する配置構成となっている。また、切欠部４１ａ、４１ｂにより第２ローラ部材３７ａ、３７ｂの転動が停止する時に、カム部材３３ａ、３３ｂの切欠面３４ａ、３４ｂが上面部２５ｄと係合する配置構成となっている。
【００５０】
上記したように、カップ保持部２５を放出容器本体２２内に入れるときに、カップ保持部２５に保持されたポーションカップ１１の蓋シート１５は、切開装置２７の切開刃２９の回動により切開され、ポーションカップ１１が放出容器本体２２内の内部所定位置となるときに、切開刃２９により蓋シート１５の切開が完了するように配置構成されている。
【００５１】
次に、アロマオイル等の内容液１０を収容するポーションカップ１１を使用する本実施形態に係る含液カップ製品の放出装置２１の動作について説明する。放出装置２１の使用開始時は、図３及び図４に示すように、放出容器本体２２の正面部２２ｂに形成された正面開口部４２に指を入れ、正面引出板２５ａを外部へ引き出し、カップ保持部２５をポーションカップ１１載置可能な外部所定位置（図４の鎖線で示す位置）まで移動させる。
【００５２】
カップ保持部２５を外部所定位置まで移動させると、カップ保持部２５の嵌挿保持部２５ｂの全体が放出容器本体２２外となるので、ポーションカップ１１をカップ保持部２５の嵌挿保持部２５ｂに嵌め込んで保持させる。嵌挿保持部２５ｂは底部が開口しており、ポーションカップ１１の底部１２ａが嵌挿保持部２５ｂの底部から突き出た状態となり、放出容器本体２２内の超音波振動子４６とポーションカップ１１の底部１２ａとが直接接触、あるいは水などの液体を介しての接触が可能となり、超音波振動子４６による振動を効率よく伝達して内容液１０を霧状にすることができる。
【００５３】
ポーションカップ１１を保持したカップ保持部２５を放出容器本体２２内に押し込むと、図７Ａに示す位置から切開装置２７の第２ローラ部材３７ａ、３７ｂがカップ保持部２５の上面部２５ｄの走行面部３５ａ、３５ｂを一方の端２５ｅから他の端である正面引出板２５ａに向けて転動走行を開始する。第２ローラ部材３７ａ、３７ｂが図７Ａの位置にあるときは、カム部材３３ａ、３３ｂは図６Ｂの４０ａの位置（鎖線で示す位置）にあり、カップ保持部２５の内部への移動に伴い４０ｂの位置（鎖線で示す位置）に向けて移動する。第２ローラ部材３７ａ、３７ｂの転動走行により、第２ローラ部材３７ａ、３７ｂと連動する第１ローラ部材３２ａ、３２ｂの回転により、第１シャフト３１に取付けた切開刃２９の刃先が下向きに回転する。さらに、カップ保持部２５を放出容器本体２２内に押し込むと、図７Ｂに示すように、第２ローラ部材３７ａ、３７ｂの転動に伴い、これと連動する第１ローラ部材３２ａ、３２ｂの回転により切開刃２９がポーションカップ１１の蓋シート１５に突き刺さり、切開を開始する。カップ保持部２５が図７Ｂに示す位置に至ったときは、上記したように切開刃２９が蓋シート１５の切開を開始すると同時に、第２ローラ部材３７ａ、３７ｂがカップ保持部２５の上面部２５ｄの切欠部４１ａ、４１ｂの位置に至り、上面部２５ｄ上の走行面部３５ａ、３５ｂとの接触が解除されて転動が解除される。これにより連動する第１ローラ部材３２ａ、３２ｂの回転も停止するので、第１シャフト３１に固着された切開刃２９の回転も停止する。第２ローラ部材３７ａ、３７ｂが切欠部４１ａ、４１ｂに至った時には、切開装置２７のカム部材３３ａ、３３ｂの切欠面３４ａ、３４ｂが上面部２５ｄと係合し（図６Ｂに示す４０ｃの位置）、カム部材３３ａ、３３ｂが上記係合位置で前後の回転を抑制される。これにより、切開刃２９の刃先が蓋シート１５に付き刺した状態を維持することができる。
【００５４】
上記したように、図７Ｂに示す切開刃２９を蓋シート１５に付き刺した状態でカップ保持部２５をさらに内部所定位置（図４参照）まで放出容器本体２２内に押し込むと、図７Ｃに示すように、切開刃２９が蓋シート１５を切開してカップ本体１２の壁部１２ｂの一方に寄せることができる。このとき、蓋シート１５が切開されたポーションカップ１１のカップ本体１２の底部１２ａ中央部分が超音波振動子４６と接触する（図４参照）。
【００５５】
次に、電源スイッチ（不図示）をＯＮにして電源回路ユニット４７から高周波の交流電圧を超音波振動子４６に供給すると、超音波振動子４６の圧電セラミックスが振動し、その振動エネルギーが、超音波振動子４６と当接する底部１２ａを通じてポーションカップ１１内の内容液１０に伝わり、その液面の一部が隆起して水柱を発生させて微細な霧を発生させる。超音波振動により発生した霧状の液体粒子は、ポーションカップ１１の上方に位置する円筒形状の誘導経路部４４内を通じて、放出容器本体２２の頂部に形成される頂部放出開口部４３を通じて外部に放出される。
【００５６】
このように、本実施形態に係る含液カップ製品の放出装置２１によれば、切開装置２７により蓋シート１５の切開を行うことができ、さらにポーションカップ１１に収容された芳香剤等を含む内容液１０を超音波振動子４６により霧状にして容易に放出することができる。例えば、ポーションカップ１１に収容された芳香剤等を含む内容液１０を容易に霧状化して放出することができるので、アロマセラピーを容易に行うことができる。また、喘息等の鎮静作用のある健康・薬効成分を含む内容液１０を霧状にして放出することで室内、浴室内において薬理効果を容易に享受することができる。更に、除菌剤、防かび剤を含む内容液１０を霧状にして放出することで、室内、浴室内の除菌、防かび対策が容易となる。なお、本実施形態では、切開装置２７によりポーションカップ１１の蓋シート１５を切開しているが、切開装置２７を設けずに、手で蓋シート１５を剥離したポーションカップ１１をカップ保持部２５により保持させてもよい。
【００５７】
次に、本発明に係る含液カップ製品の放出装置の第２の実施形態について、図８乃至図１０を参照して説明する。第１の実施形態との相違点を中心に説明し、構造、機能が共通する部分については、同一の名称に同一の符号を付して説明する。
【００５８】
本実施形態に係る含液カップ製品の放出装置５１は、中空形状の放出容器本体５２と、内容液１０を収容するポーションカップ１１を保持するカップ保持部５５と、カップ保持部５５で保持されるポーションカップ１１の蓋シート１５に複数の孔部１９（以下、適宜「孔部１９」という）を形成する孔部形成部５７（孔部形成手段）と、蓋シート１５に孔部１９が形成されたポーションカップ１１に収容される内容液１０を加熱により気体状にする加熱装置６２（電気ヒータ６３及び電源回路ユニット６５）と、気体状にされた内容液１０を放出容器本体５２の外部へ放出する上部放出開口部５６ａ、５６ｂ（放出部）と、を有する。本実施形態の放出装置５１では、第１の実施形態の切開装置２７に代えて孔部形成部５７により蓋シート１５に孔部１９を形成し、霧状化装置４５に代えて加熱装置６２（加熱手段、状態変化手段）によりポーションカップ１１内の内容液１０を気体状にして放出するものである。
【００５９】
図８に示すように、放出容器本体５２の形状は、第１の実施形態と同様に、平面形状である底面部５２ａ及び正面部５２ｂと、その他の部分で球面形状である球面部５２ｃとから構成される中空の容器である。さらに第１の実施形態同様、底面部５２ａ及び正面部５２ｂは円形状の一部（弓形部分）を欠いた形状で、正面部５２ｂには、カップ保持部５５の正面引出板５５ａと、さらに正面引出板５５ａの下部に、引出板５５ａを放出容器本体５２の内外に引き出しするために指を挿入する正面開口部６１とが設けられている。放出容器本体５２の球面部５２ｃの頂部には、後述する孔部形成部５７の押圧部材６７を設けるための頂部開口部６８が形成され、頂部開口部６８の左右に加熱装置６２により気体状化されたポーションカップ１１内の内容液１０を外部に放出するための上部放出開口部５６ａ、５６ｂ（放出部）が形成されている。頂部開口部６８、上部放出開口部５６ａ、５６ｂは円形の開口部で、その直径は２ｃｍ乃至４ｃｍの範囲で形成されるが、これに限定するものではない。
【００６０】
図８及び図９に示すように、カップ保持部５５は、第１の実施形態同様に、長手方向に伸長した直方体形状で、長手方向の一方の端５５ｅ（放出容器本体５２の内部側）に近い位置にポーションカップ１１を嵌め込むための嵌挿保持部５５ｂが形成され、他方の端（放出容器本体５２の外部側）には上記した正面引出板５５ａが設けられている。嵌挿保持部５５ｂは、第１の実施形態と同様の構造で、嵌挿保持部５５ｂに嵌挿されたポーションカップ１１は、底部１２ａを嵌挿保持部５５ｂの底部開口から長さ数ｍｍ程度を下側に突き出した状態となる。カップ保持部５５は、その底部５５ｃの長手方向の両側が、放出容器本体５２に架設された一対のレール部材２８ａ、２８ｂ上を摺動可能に設けられていて、正面引出板５５ａを出し入れすることで、カップ保持部５５を放出容器本体５２の内外に移動可能となっている点も第１の実施形態と同様である。カップ保持部５５が第１の実施形態と相違するのは、本実施形態では切開装置２７を設けておらず、上面部５５ｄには切開装置２７と連携するための溝部、切欠部が形成されていないことである。
【００６１】
図９に示すように、孔部形成部５７（孔部形成手段）は、カップ保持部５５に保持されたポーションカップ１１の蓋シート１５に複数の孔部１９を形成する装置であり、天部を開口、底部を円板状の底板７０で封止した底付円筒部７１と、底板７０の中央に形成された孔部を移動可能に挿通される軸部７２と、軸部７２の上方の一端に固着された円形の押圧部材６７と、軸部の下方の他端に固着された方形状の板状部材７３と、板状部材７３の下面に設けた縦横４列で合計１６本の先鋭形状の開孔刃７５と、底付円筒部７１内で軸部に設けた圧縮バネ７６と、を有する。押圧部材６７の直径は、頂部開口部６８の直径よりも少し小さく、頂部開口部６８の周囲に所定の隙間が生じている。また、押圧部材６７の表面は、指（不図示）等による押圧がないときは、放出容器本体５２の球面部５２ｃの表面とは殆ど段差無しの状態となっている。開孔刃７５と板状部材７３で開孔刃部を構成し、底付円筒部７１と、軸部７２と、押圧部材６７と、圧縮バネ７６とで昇降部を構成する。
【００６２】
図９に示すように、孔部形成部５７は、指(不図示）等により押圧部材６７を圧縮バネ７６の弾性力に抗して押下げることで、板状部材７３の下面に設けた開孔刃７５を降下させ、ポーションカップ１１の蓋シート１５に合計１６個の孔部１９（図１０参照）を形成することができる。押圧部材６７に対する押圧を解除すると、押圧により圧縮されていた圧縮バネ７６が元の状態に復元して、押圧部材６７が球面部５２ｃと殆ど段差無しの位置に戻るようになる。また、孔部１９の数や大きさ、形状は、開口刃の大きさや形状を工夫（不図示）することで、変えることができる。
【００６３】
図９に示すように、加熱装置６２は、カップ保持部５５に保持されたポーションカップ１１の底部１２ａに当接する位置に設けた電気ヒータ６３と、電源及び制御部からなる電源回路ユニット６５と、を有する。電源回路ユニット６５は、内部に乾電池等の電源を有する機構であるが、乾電池を使用せずに外部から電力を導入しても良い。
【００６４】
次に、本実施形態に係る放出装置５１の動作について説明する。第１の実施形態と同様に、カップ保持部５５の正面引出板５５ａを指で掴み、カップ保持部５５を放出容器本体外に引き出して嵌挿保持部５５ｂにポーションカップ１１を嵌め込んで保持させる。正面引出板５５ａを放出容器本体５２内に押し込んで、ポーションカップ１１を内部所定位置（図９に示すポーションカップ１１の位置）に配置する。そして、押圧部材６７の押下げにより開孔刃７５を降下させて、ポーションカップ１１の蓋シート１５に孔部１９を形成させる。孔部１９が形成された後に、加熱装置６２の電源スイッチ（不図示）をＯＮにして電源回路ユニット６５から電気ヒータ６３に電力を供給してポーションカップ１１の底部１２ａを加熱する。ポーションカップ１１に収容される内容液１０の加熱により、内容液１０が気体状となって孔部１９から発生し、上部開口部５６ａ、５６ｂから放出装置５１の外部に放出される。これにより、第１の実施形態同様に、内容液１０に含まれる芳香成分等が発散されるので、室内、浴室内でのアロマセラピー等を行うことができる。
【００６５】
本実施形態では、ポーションカップ１１に収容される内容液１０を加熱により気体状化して外部に放出するので、超音波振動による霧状化と異なり、蓋シート１５を切開する必要がないことから（霧状化のための水柱の発生不要）、より簡便な装置である孔部形成部５７の開孔刃７５により開孔形成を行ったものである。
【００６６】
上記ではカップ本体１２の形状を略直方体形状で説明したが、本願のカップ製品は略直方体形状に限定されず、立方体形状、円錐形状、円錐台形状、半球形状、多角形形状などの容器形状でもよい。また、上記実施形態ではカップ保持部を凹形状の嵌挿保持部で説明したが、本発明のカップ保持部はカップ製品を保持できればよく、この形態に限らない。即ち、カップ製品を保持できれば平坦でも良く、カップ径に合わせた孔でもよい。更にカップ製品の接地面をカップが移動しにくいように、粘着テープ等の粘着剤を設けてもよく、表面粗度を大きくしてもよく、吸盤状にしてもよい。
【符号の説明】
【００６７】
１０    内容液
１１    ポーションカップ
１２    カップ本体
１２ａ  底部
１２ｂ  壁部
１２ｃ  開口部
１２ｄ  フランジ部
１５    蓋シート
１７    三層構造
１７ａ  ヒートシール層
１７ｂ  外層
１７ｃ  バリア層
１８    三層構造
１８ａ  ヒートシール層
１８ｂ  外層
１８ｃ  バリア層
１９    孔部
２１    放出装置
２２    放出容器本体
２２ａ  底面部
２２ｂ  正面部
２２ｃ  球面部
２５    カップ保持部
２５ａ  正面引出板
２５ｂ  嵌挿保持部
２５ｃ  底部
２５ｄ  上面部
２５ｅ  一方の端
２７    切開装置
２８ａ、２８ｂ  レール部材
２９    切開刃
３１    第１シャフト
３２ａ、３２ｂ  第１ローラ部材
３３ａ、３３ｂ  カム部材
３４ａ、３４ｂ  切欠面
３５ａ、３５ｂ  走行面部
３７ａ、３７ｂ  第２ローラ部材
３９ａ、３９ｂ  溝部
４１ａ、４１ｂ  切欠部
４２    正面開口部
４３    頂部放出開口部（放出部）
４４    誘導経路部
４５    霧状化装置
４６    超音波振動子
４７    電源回路ユニット
５１    放出装置
５２    放出容器本体
５２ａ  底面部
５２ｂ  正面部
５２ｃ  球面部
５５    カップ保持部
５５ａ  正面引出板
５５ｂ  嵌挿保持部
５５ｃ  底部
５５ｄ  上面部
５５ｅ  一方の端
５６ａ、５６ｂ  上部放出開口部
５７    孔部形成部
６１    正面開口部
６２    加熱装置
６３    電気ヒータ
６５    電源回路ユニット
６７    押圧部材
７１    底付円筒部
７２    軸部
７３    板状部材
７５    開孔刃
７６    圧縮バネ
【図１Ａ】
2017123900.tif 000003
【図１Ｂ】
2017123900.tif 000004
【図２Ａ】
2017123900.tif 000005
【図２Ｂ】
2017123900.tif 000006
【図３】
2017123900.tif 000007
【図４】
2017123900.tif 000008
【図５】
2017123900.tif 000009
【図６Ａ】
2017123900.tif 000010
【図６Ｂ】
2017123900.tif 000011
【図７Ａ】
2017123900.tif 000012
【図７Ｂ】
2017123900.tif 000013
【図７Ｃ】
2017123900.tif 000014
【図８】
2017123900.tif 000015
【図９】
2017123900.tif 000016
【図１０】
2017123900.tif 000017